(57)【要約】【課題】  視界性向上のためにキャブを覆うガードを移動させても、窓を保護する機能をある程度維持し、またガードの移動に要する労力を低減できるキャブのガード装置を提供する。【解決手段】  キャブ１の前面に固定ガード２０と固定ガード２０に保持される移動ガード２１を備える。移動ガード２１は、レール部３１、３２に沿って移動可能であり、キャブ１の前後方向から見て移動側棒材４０ｃが固定側棒材２５ｂに重なる位置と重ならない位置とで固定可能である。【選択図】  図１
2016098533.tif 000002
【特許請求の範囲】
【請求項１】
作業機械のキャブを保護するキャブガード装置において、
前記キャブの窓の外側に取付ブラケットを介して取り付けられ縦桟と横桟により四角枠状のフレームを形成した固定ガードと、前記固定ガードに保持され前記固定ガードの縦方向または横方向に移動可能な移動ガードとを備え、
前記固定ガードは、前記フレーム内に複数の固定側棒材が前記縦桟また前記横桟に平行で所定の間隔を保つように構成され、
前記移動ガードは、前記固定側棒材の向きと同一の方向を向き同等の間隔を保ち平行に並ぶ複数の移動側棒材と前記移動側材を接続する移動側連結材から構成され、
前記移動側棒材が隣り合う前記固定側棒材の一方と近接する一致状態と、前記窓に正対した方向から見て前記移動側棒材が前記隣り合う前記固定側棒材の間に位置する不一致状態とに変更可能であり、
前記２つの状態において、前記移動ガードは、前記固定ガードに固定可能であることを特徴とするキャブガード装置。
【請求項２】
前記固定ガードは、前記キャブの前面に対して、前記窓の外側に隙間を挟んで対するように前記取付ブラケットを介して取り付けられ、前記フレーム内に複数の前記固定側棒材が前記縦桟に平行で所定の間隔を保つように構成され、
前記移動ガードは、前記固定ガードの横方向に移動可能であり、上下方向への移動は制限され、前記一致状態において前記移動側棒材が隣り合う前記固定側棒材の一方と前後、左右いずれかに近接し、前記不一致状態において前記移動側棒材が前後方向から見て前記隣り合う前記固定側棒材の間に位置することを特徴とする請求項１に記載のキャブガード装置。
【請求項３】
前記移動側棒材は、前記一致状態で、前記固定側棒材よりも前記キャブから離れた位置において、前記窓に正対した方向から見て前記固定側棒材と重なるように備えられることを特徴とする請求項１、２いずれかに記載のキャブガード装置。
【請求項４】
前記移動側棒材は、前記不一致状態で、前記窓との間隔が前記固定側棒材と同等であり、前記固定側棒材の側方に並ぶことを特徴とする請求項１〜３いずれかに記載のキャブガード装置。
【請求項５】
前記固定ガードまたは前記移動ガードは、前記移動側棒材が前記固定側棒材と近接する位置と前記窓に正対した方向から見て前記移動側棒材が隣り合う前記固定側棒材の間となる位置との間で移動可能となるように前記移動ガードを保持するレールを備えることを特徴とする請求項１〜４いずれかに記載のキャブガード装置。
【請求項６】
前記移動側棒材には、係合部が備えられ、前記係合部は、前記移動ガードの移動方向に沿った前記横桟または前記縦桟に挿通される係合孔を有することを特徴とする請求項１〜４いずれかに記載のキャブガード装置。
【請求項７】
前記係合孔は、固定側連結材に挿通され、前記固定側連結材は、前記固定ガードに備えられ、前記固定側棒材と垂直に交差し、前記固定側棒材を接続することを特徴とする請求項６に記載のキャブガード装置。
【請求項８】
前記移動ガードは、前記移動側連結材が複数備えられ、前記移動側連結材は、前記移動側棒材と垂直に交差し前記移動側棒材を接続することを特徴とする請求項６、７いずれかに記載のキャブガード装置。
【請求項９】
前記移動側連結材は、前記固定側連結材または前記移動ガードの移動方向に沿った前記横桟または前記縦桟の前記窓から離れた側に重なるように備えられることを特徴とする請求項１〜８いずれかに記載のキャブガード装置。
【請求項１０】
前記固定ガードまたは前記移動ガードには、着脱可能なブロックが備えられ、前記ブロックは、前記固定ガードまたは前記移動ガードのいずれかに当接し前記移動ガードの移動を妨げることを特徴とする請求項１〜９いずれかに記載のキャブガード装置。
【請求項１１】
前記移動側ガードには移動側孔が形成され、前記固定ガードには固定側孔が形成され、前記移動側孔と前記固定側孔が重なる状態で、前記移動側孔と前記固定側孔とを貫くねじが挿通されることを特徴とする請求項６〜１０いずれかに記載のキャブガード装置。
【請求項１２】
前記移動ガードの移動に伴い、前記一致状態において前記縦桟または前記横桟のいずれかに近接し、前記不一致状態において前記窓に正対した方向から見て前記縦桟または前記横桟のいずれかと前記固定側棒材の間に位置する前記移動側棒材が追加されることを特徴とする請求項１〜１１いずれかに記載のキャブガード装置。
【発明の詳細な説明】
【技術分野】
【０００１】
本発明は、ショベル等の作業機械において、キャブを防護するガード装置に関するものである。
【背景技術】
【０００２】
ショベル等の作業機械において、キャブの窓の外側にガード装置が取り付けられる場合がある。
【０００３】
例えばショベルにおいては、キャブの前面を外側から覆うガードと、このガードをキャブ前面に取り付ける取付ブラケットによりガード装置が構成され、キャブの前面を作業中に前方から飛来する岩石などから保護することができる。
【０００４】
このようなガード装置のうち、ガードを移動可能とすることにより、視界性やメンテナンス性を向上させる方法がいくつか提案されている。
【０００５】
例えば特許文献１に記載のガード装置は、ガードを２以上に分割し、分割された各ガードをそれぞれ第１の位置および第２の位置との間で移動可能とし、第１の位置および第２の位置で固定可能としている。
【０００６】
また、特許文献２に記載のガード装置は、キャブの外周面部の前面側より上面側を経て後方側へ至る左右の両端縁部にそれぞれローラガイドレールを延設し、またキャブガードの前後長手方向を分割して複数個のガード板部材に形成し、その複数個のガード板部材をそれぞれ前後方向に屈折回動自在に連結し、上記キャブガードをローラガイドレールに沿ってスライド移動可能に嵌合して構成している。
【先行技術文献】
【特許文献】
【０００７】
【特許文献１】特開平９−２２８４２２号公報
【特許文献２】特開２００８-１００４４２号公報
【発明の概要】
【発明が解決しようとする課題】
【０００８】
上述した先行技術はいずれも、窓の視界を良好にする場合には、その窓を覆うガードを移動する必要があり、ガードに覆われず窓が保護されない部分が生じてしまう。
【０００９】
また、一般にガードは金属製で重量物であるが、窓全体の視界を良好にするにはガードを大きく動かす必要があり、労力を要する。
【００１０】
本発明は、上記の観点からなされたもので、その目的は、ガードを移動させても窓をある程度保護する機能を確保し、またガードの移動に要する労力を低減するガード装置を提供することである。
【課題を解決するための手段】
【００１１】
上記課題を解決する手段として、本発明では、作業機械のキャブを保護するキャブガード装置において、
前記キャブの窓の外側に取付ブラケットを介して取り付けられ縦桟と横桟により四角枠状のフレームを形成した固定ガードと、前記固定ガードに保持され前記固定ガードの縦方向または横方向に移動可能な移動ガードとを備え、
前記固定ガードは、前記フレーム内に複数の固定側棒材が前記縦桟また前記横桟に平行で所定の間隔を保つように構成され、
前記移動ガードは、前記固定側棒材の向きと同一の方向を向き同等の間隔を保ち平行に並ぶ複数の移動側棒材と前記移動側材を接続する移動側連結材から構成され、
前記移動側棒材が隣り合う前記固定側棒材の一方と近接する一致状態と、前記窓に正対した方向から見て前記移動側棒材が前記隣り合う前記固定側棒材の間に位置する不一致状態とに変更可能であり、
前記２つの状態において、前記移動ガードは、前記固定ガードに固定可能としたものである（請求項１）。
【００１２】
この構成において、上記窓に正対した方向から見て、上記移動ガードを上記固定ガードに対して縦方向または横方向に移動させるだけで上記固定側棒材と上記移動側棒材の並ぶ間隔を可変とすることができ、上記一致状態では上記前窓をある程度保護する機能を確保しながら窓全体の視界を良好にすることができ、上記不一致状態では一般的なガード装置と同程度に上記前窓を保護することができる。
【００１３】
また、上記一致状態と上記不一致状態とを変更するには、上記移動ガードだけを移動させればよく、その移動は、上記移動側棒材が隣り合う上記固定側棒材の一方に近接する位置と、上記窓に正対した方向から見て上記隣り合う上記固定側棒材の間となる位置とを変更するもので、上記移動ガードを大きく動かす必要がなく、労力を低減できる。
【００１４】
本発明において、前記固定ガードは、前記キャブの前面に対して、前記窓の外側に隙間を挟んで対するように前記取付ブラケットを介して取り付けられ、前記フレーム内に複数の前記固定側棒材が前記縦桟に平行で所定の間隔を保つように構成され、
前記移動ガードは、前記固定ガードの横方向に移動可能であり、上下方向への移動は制限され、前記一致状態において前記移動側棒材が隣り合う前記固定側棒材の一方と前後、左右いずれかに近接し、前記不一致状態において前記移動側棒材が前後方向から見て前記隣り合う前記固定側棒材の間に位置するのが望ましい（請求項２）。
【００１５】
この構成において、上記窓は上記キャブの前窓であり、上記一致状態では、上記キャブの前後方向から見て上記移動側棒材が上記固定側棒材に重なり、この前窓の視界を大きく確保することができる。
【００１６】
また、上記キャブガード装置が前窓に取り付けられることにより、重量物である上記移動ガードを持ち上げることなく、横方向に移動させるだけで上記一致状態と上記不一致状態とを変更でき、労力を低減できる。
【００１７】
本発明において、前記移動側棒材は、前記一致状態で、前記固定側棒材よりも前記キャブから離れた位置において、前記窓に正対した方向から見て前記固定側棒材と重なるように備えられるのが望ましい（請求項３）。
【００１８】
この構成において、上記移動側棒材が上記固定側棒材に近接する状態では、上記窓に正対した方向から見て上記移動側棒材が上記固定側棒材に重なり、上記前窓の視界を大きく確保することができる。
【００１９】
本発明において、前記移動側棒材は、前記不一致状態で、前記窓との間隔が前記固定側棒材と同等であり、前記固定側棒材の側方に並ぶことが望ましい（請求項４）。
【００２０】
この構成において、上記不一致状態では、上記固定側棒材に対して上記移動側棒材の外側への突出を抑えることができる。
【００２１】
本発明において、前記固定ガードまたは前記移動ガードは、前記移動側棒材が前記固定側棒材と近接する位置と前記窓に正対した方向から見て前記移動側棒材が隣り合う前記固定側棒材の間となる位置との間で移動可能となるように前記移動ガードを保持するレールを備えるのが望ましい（請求項５）。
【００２２】
この構成において、上記移動ガードは、上記レールを介して上記固定ガードに移動可能に保持される。
【００２３】
本発明において、前記移動側棒材には、係合部が備えられ、前記係合部は、前記移動ガードの移動方向に沿った前記横桟または前記縦桟に挿通される係合孔を有するのが望ましい（請求項６）。
【００２４】
この構成において、上記移動ガードは、上記係合部に上記横桟が挿通されることにより、上記固定ガードに保持される。
【００２５】
本発明において、前記係合孔は、固定側連結材に挿通され、前記固定側連結材は、前記固定ガードに備えられ、前記固定側棒材と垂直に交差し、前記固定側棒材を接続するのが望ましい（請求項７）。
【００２６】
この構成において、上記した複数の固定側連結材が上記固定側棒材を接続することになり、上記固定ガードの強度を向上させることができる。
【００２７】
上記移動ガードは、上記係合孔に上記縦桟または上記横桟に加えて上記固定側連結材が挿通されることにより、安定的に保持される。
【００２８】
本発明において、前記移動ガードは、前記移動側連結材が複数備えられ、前記移動側連結材は、前記移動側棒材と垂直に交差し前記移動側棒材を接続するのが望ましい（請求項８）。
【００２９】
この構成において、上記した複数の移動側連結材が上記移動側棒材を接続することにより、上記移動ガードの強度を向上させることができる。
【００３０】
本発明において、前記移動側連結材は、前記固定側連結材または前記移動ガードの移動方向に沿った前記横桟または前記縦桟の前記窓から離れた側に重なるように備えられるのが望ましい（請求項９）。
【００３１】
この構成において、上記連結材は、上記前記固定側連結材または前記移動ガードの移動方向に沿った前記横桟または前記縦桟の外側に重なることにより、前後方向の視界の妨げとなることを避けている。
【００３２】
本発明において、前記固定ガードまたは前記移動ガードには、着脱可能なブロックが備えられ、前記ブロックは、前記固定ガードまたは前記移動ガードのいずれかに当接し前記移動ガードの移動を妨げるのが望ましい（請求項１０）。
【００３３】
この構成において、上記固定ガードまたは上記移動ガードに取り付けられた上記ブロックにより上記移動ガードの移動が妨げられ、上記一致状態と、上記不一致状態とを維持することができる。  
【００３４】
本発明において、前記移動側ガードには移動側孔が形成され、前記固定ガードには固定側孔が形成され、前記移動側孔と前記固定側孔が重なる状態で、前記移動側孔と前記固定側孔とを貫くねじが挿通されるのが望ましい（請求項１１）。
【００３５】
この構成において、上記移動側孔と上記固定側孔が重なる状態で、上記移動ガードを上記固定ガードに固定することができる。
【００３６】
本発明において、前記移動ガードの移動に伴い、前記一致状態において前記縦桟または前記横桟のいずれかに近接し、前記不一致状態において前記窓に正対した方向から見て前記縦桟または前記横桟のいずれかと前記固定側棒材の間に位置する前記移動側棒材が追加されるのが望ましい（請求項１２）。
【００３７】
この構成において、上記窓の端は上記固定ガードの上記フレームと上記移動ガードの上記前記移動側棒材により保護される。
【発明の効果】
【００３８】
本発明のキャブのガード装置によると、視界性の向上のためにキャブの窓の外側の移動ガードを移動させる場合でも固定ガードにより前窓はある程度保護され、その移動ガードの移動に要する労力を低減できる。
【図面の簡単な説明】
【００３９】
【図１】実施形態１のキャブの上ガードの閉じ状態を示す斜視図である。
【図２】実施形態１のキャブの上ガードの開き状態を示す斜視図である。
【図３】実施形態１のガード装置の斜視図である。
【図４】実施形態１の固定ガードの斜視図である。
【図５】実施形態１の移動ガードの斜視図である。
【図６】実施形態１のキャブの正面図で、（ａ）は一致状態、（ｂ）は不一致状態を示す。
【図７】図６（ａ）の１４ａ付近の拡大図である。
【図８】実施形態２のキャブの上ガードの閉じ状態を示す斜視図である。
【図９】実施形態２のキャブの上ガードの開き状態を示す斜視図である。
【図１０】実施形態２のガード装置の斜視図である。
【図１１】実施形態２の固定ガードの斜視図である。
【図１２】実施形態２の移動ガードの斜視図である。
【図１３】実施形態２のキャブの正面図で、（ａ）は一致状態、（ｂ）は不一致状態を示す。
【図１４】図１３（ａ）の１４ａ付近の拡大図で、ブロック８１ａを取り付ける様子を示す。
【図１５】図１３（ｂ）の８１ｃ付近の拡大図で、ブロック８１ｂを取り付ける様子を示す。
【図１６】図１３（ｂ）の下半分の拡大図で、ブロック９２を取り付ける様子を示す。
【発明を実施するための形態】
【００４０】
以下、本発明の実施形態について図面を参照しながら述べる。
【００４１】
＜実施形態１＞
図１および図２に示すように、キャブ１の前面に設けられた前窓２の前方にはキャブ１およびオペレータを保護するガード装置３が設けられている。
【００４２】
前窓２は、上窓２ａおよび下窓２ｂから構成され、ガード装置３は、上窓２ａを覆う上ガード４と下窓２ｂを覆う下ガード５からなる。
【００４３】
下ガード５は、左右両端部がキャブ前面の下部に取付ブラケット１０を介して取り付けられる。
【００４４】
一方、上ガード４は、上部と下部の蝶番１１、１２により左右一端側に開閉自在に取り付けられる。
【００４５】
上ガード４の蝶番１１、１２の反対側の上部と下部にロック装置１３ａ、１４ａが備えられ、上ガード４の閉じ状態で１３ｂ、１４ｂと係合してロック状態となる。
【００４６】
なお、上ガード４の開閉機能が不必要であれば、上ガード４を下ガード５と同様にキャブ前面に取付ブラケットを介して取り付けてもよい。
【００４７】
図３に示すように、上ガード４は、固定ガード２０と固定ガード２０の前方に保持される移動ガード２１から構成される。
【００４８】
図４に示すように、固定ガード２０は、縦桟２２ａ、２２ｂと横桟２３ａ、２３ｂから形成された四角枠上のフレーム２４の中に、複数の固定側棒材２５ａ、２５ｂ、２５ｃが縦桟２２ａ、２２ｂと平行に所定の間隔で並んでいる。
【００４９】
さらに、固定側棒材２５ａ〜２５ｃと縦桟２２ａ、２２ｂを連結する複数の固定側連結材３０ａ、３０ｂが備えられ、固定ガード２０の強度を維持している。
【００５０】
上部の横桟２３ａと下部の横桟２３ｂには、移動ガード２１を横方向に移動可能に保持するためのレール部３１、３２が向き合うように備えられている。
【００５１】
横桟２３ａに設けた固定側孔３３ａ、３３ｂと横桟２３ｂに設けた固定側孔３４ａ、３４ｂにはねじが刻まれ、移動ガード２１を固定ガード２０に固定する際に用いられる。
【００５２】
図５に示すように、移動ガード２１は垂直に並んだ複数の移動側棒材４０ａ、４０ｂ、４０ｃ、４０ｄと移動側棒材を接続する移動側連結材４１ａ、４１ｂ、４１ｃ、４１ｄにより構成される。
【００５３】
移動ガード２１は、複数の移動側連結材４１ａ〜４１ｄを設けることにより、強度を維持している。
【００５４】
移動側棒材４０ａ〜４０ｄは、固定側棒材２５ａ〜２５ｃおよび縦桟２２ａと平行かつ同等の間隔を保つように並ぶ。
【００５５】
上部と下部の移動側連結材４１ａ、４１ｄには、それぞれレール部３１、３２と係合する突出部４２、４３が取り付けられる。
【００５６】
突出部４２、４３は、図示したようにいくつかに分かれて構成してもよいし、それぞれを一体として構成してもよい。
【００５７】
また、移動側連結材４１ａ、４１ｄは左右一端側に延伸され、この延伸部に設けた移動側孔４４、４５にはねじが刻まれ、移動ガード２１を固定ガード２０に固定する際に用いられる。
【００５８】
図３では、移動ガード２１の突出部４２、４３を固定ガード２０のレール部３１、３２に係合させた様子を示している。
【００５９】
移動側連結材４１ａ〜４１ｄは、固定側連結材３０ａ、３０ｂや横桟２３ａ、２３ｂと前後に重なるように構成される。
【００６０】
移動ガード２１は、レール部３１、３２に沿って摺動可能であり、図６の（ａ）のように移動側棒材４０ｂ〜４０ｄが固定側棒材２５ａ〜２５ｃと前後に重なる状態（以下、一致状態と呼ぶ）と、図６の（ｂ）のように移動側棒材４０ｂ、４０ｃが前後方向から見て隣り合う固定側棒材２５ａ、２５ｂおよび２５ｂ、２５ｃの中間に位置する状態（以下、不一致状態と呼ぶ）とに変更することができる。
【００６１】
また、一致状態では、移動側棒材４０ａは縦桟２２ａと前後に重なり、不一致状態では、移動側棒材４０ａは縦桟２２ａと固定側棒材２５ａの中間に位置し、同時に移動側棒材４０ｄは縦桟２２ｂと固定側連結材２５ｃの中間に位置する。
【００６２】
一致状態では、前窓２ａは固定ガード２０によりある程度保護されながら、移動側棒材４０ａ〜４０ｄが固定側棒材２５ａ〜２５ｃおよび縦桟２２ａに前後に重なることにより視界を良好にすることができる。
【００６３】
不一致状態では、移動側棒材４０ａ〜４０ｄと固定側棒材２５ａ〜２５ｃおよび縦桟２２ａが交互かつ均等に並ぶことにより、前窓２ａを一般的なガード装置と同程度に保護することができる。
【００６４】
また、一致状態と不一致状態を変更するには、移動ガード２１を水平に移動させるだけでよいので、大きな労力を必要としない。
【００６５】
このガード装置は、一致状態と不一致状態においてねじ５０ａにより移動ガード２１を移動ガード２１に固定ガード２０に固定することができる。
【００６６】
具体的には図７に示すように、一致状態では、下部の移動側連結材４１ｄに設けた移動側孔４５が下部の横桟２３ｂに設けた固定側孔３４ａと重なり、ねじ５０ｂが孔４５と孔３４ａを貫きながら締められる。
【００６７】
一方、点線で示す不一致状態では、移動側孔４５は固定側３４ｂと重なり、ねじ５０ｂが移動側孔４５と固定側孔３４ｂを貫きながら締められる。
【００６８】
移動側孔４５と固定側孔３４ａ、３４ｂは、一致状態と不一致状態において重なればよく、また、同時に複数個所に設けてもよい。
【００６９】
実施形態１においては、図４および図５に示す固定側孔３３ａ、３３ｂと移動側孔４４も、一致状態と不一致状態において重なり、図６のようにねじ５０ｂにより貫きながら締められるように構成している。
【００７０】
作業のしやすさを考慮する場合には、作業者の手の届きやすい高さにある移動側連結材４１ｄと横桟２３ｂに、固定側孔と移動側孔を設けてねじ止めしてもよい。
【００７１】
以上のように、実施形態１のガード装置３は、一致状態または不一致状態で使用することができる。
【００７２】
一致状態と不一致状態とを変更するには、すべてのねじを取り外し、移動ガード２１を一致状態または不一致状態となるまでレール部３１、３２に沿って移動させ、再びねじを締めつければよい。
【００７３】
＜実施形態２＞
図８は、第２の実施形態のガード装置３を装着したキャブ１を示す。
【００７４】
実施形態２において、以下の点は実施形態１と同じである。
【００７５】
前窓２は、上窓２ａおよび下窓２ｂから構成され、ガード装置３は、上窓２ａを覆う上ガード４と下窓２ｂを覆う下ガード５からなる点。
【００７６】
下ガード５は、左右両端部がキャブ前面の下部に取付ブラケット１０を介して取り付けられる点。
【００７７】
上ガード４は、上部と下部の蝶番１１、１２により左右一端側に開閉自在に取り付けられる点。
【００７８】
図９に示すように、上ガード４の蝶番１１、１２の反対側の上部と下部にロック装置１３ａ、１４ａが備えられ、上ガード４の閉じ状態で１３ｂ、１４ｂと係合してロック状態となる点。
【００７９】
上ガード４の開閉機能が不必要であれば、上ガード４を下ガード５と同様にキャブ前面に取付ブラケットを介して取り付けてもよい点。
【００８０】
さて、上ガード４は、図１０のように固定ガード２０と固定ガード２０に重なるように保持される移動ガード２１から構成される。
【００８１】
図１１に示すように、固定ガード２０は、縦桟２２ａ、２２ｂと横桟２３ａ、２３ｂから形成された四角枠上のフレーム２４の中に、複数の固定側棒材２５ａ、２５ｂ、２５ｃが縦桟２２ａ、２２ｂと平行に所定の間隔で並んでいる。
【００８２】
さらに、固定側棒材２５ａ〜２５ｃと縦桟２２ａ、２２ｂを連結する複数の固定側連結材３０ａ、３０ｂが備えられ、固定ガード２０の強度を維持している。
【００８３】
上部の横桟２３ａに設けた固定側孔６０ａ、６０ｂと下部の上部の横桟２３ｂに設けた固定側孔６１ａ、６１ｂは移動ガード２１を固定ガード２０に固定する際に用いるものであり、ねじが刻まれている。
【００８４】
図１２に示すように、移動ガード２１は垂直に並んだ複数の移動側棒材４０ａ、４０ｂ、４０ｃ、４０ｄと移動側棒材を接続する移動側連結材４１ａ、４１ｂ、４１ｃ、４１ｄにより構成される。
【００８５】
移動ガード２１は、複数の移動側連結材４１ａ〜４１ｄを設けることにより、強度を維持している。
【００８６】
移動側棒材４０ａ〜４０ｄは、固定側棒材２５ａ〜２５ｃおよび縦桟２２ａと平行かつ同等の間隔を保つように並ぶ。
【００８７】
移動ガード２１は、移動側棒材４０ａ〜４０ｄと移動側連結材４１ａ〜４１ｄが交差する部分に複数の係合部７０が備えられ、係合部７０は、移動側連結材４１ａ〜４１ｄの後方に横桟２３ａ、２３ｂと固定側連結材３０ａ、３０ｂに挿通される係合孔７１を有する。
【００８８】
図１０では、移動ガード２１の係合孔７１を固定ガード２０の横桟２３ａ、２３ｂと固定側連結材３０ａ、３０ｂに係合させた様子を示している。
【００８９】
移動側連結材４１ａ〜４１ｄは、固定側連結材３０ａ、３０ｂや横桟２３ａ、２３ｂと前後に重なるように構成される。
【００９０】
移動側棒材４０ａ〜４０ｄは、複数の係合孔７１が横桟２３ａ、２３ｂと固定側連結材３０ａ、３０ｂとに同時に係合することにより、強度上安定的に保持される。
【００９１】
移動側連結材４１ａ〜４１ｄは固定ガード２０の前方に位置するが、移動側棒材４０ａ〜４０ｄは固定側連結材３０ａ、３０ｂと横並びとなるため、実施形態２のガード装置３は、実施形態１よりも前方への突出を抑えることができる。
【００９２】
移動ガード２１は、横桟２３ａ、２３ｂと固定側連結材３０ａ、３０ｂに沿って摺動可能であり、図１３の（ａ）のように移動側棒材４０ｂ〜４０ｄが固定側棒材２５ａ〜２５ｃの左右に重なる一致状態と、図１３の（ｂ）のように移動側棒材４０ｂ、４０ｃがキャブ１の前後方向から見て隣り合う固定側連結材２５ａ、２５ｂおよび２５ｂ、２５ｃの中間に位置する不一致状態とに変更することができる。
【００９３】
また、一致状態では、移動側棒材４０ａは縦桟２２ａと前後に重なり、不一致状態では、移動側棒材４０ａは縦桟２２ａと固定側棒材２５ａの中間に位置し、同時に移動側棒材４０ｄは縦桟２２ｂと固定側連結材２５ｃの中間に位置する。
【００９４】
一致状態では、前窓２ａは固定ガード２０によりある程度保護されながら、移動側棒材４０ａ〜４０ｄが固定側棒材２５ａ〜２５ｃおよび縦桟２２ａに前後に重なることにより視界を良好にすることができる。
【００９５】
不一致状態では、移動側棒材４０ａ〜４０ｄと固定側棒材２５ａ〜２５ｃおよび縦桟２２ａ、２２ｂが交互かつ均等に並ぶことにより、前窓２ａを一般的なガード装置と同程度に保護することができる。
【００９６】
また、一致状態と不一致状態を変更するには、移動ガード２１を水平に移動させるだけでよいので、大きな労力を必要としない。
【００９７】
このガード装置は、一致状態と不一致状態においてブロック８１ａにより移動ガード２１の移動を妨げることができる。
【００９８】
具体的には図１４に示すように、一致状態では、移動側棒材４０ｄとロック装置１４ａとの間の点線で示す位置にブロック８１ａが備えられ、移動ガード２１の移動が妨げられる。
【００９９】
ブロック８１ａには、ネジ８０ａが付属し、横桟２３に設けた固定側孔６１ｂに対して着脱可能としている。
【０１００】
一方、不一致状態では図１５に示すようにブロック８１ｂは、移動側棒材４０ａと縦桟２２ａとの間の点線で示す位置に備えられ、移動ガード２１の移動が妨げられる。
【０１０１】
ブロック８１ｂは、ネジ８０ｂにより固定側孔６１ａに対して着脱可能に取り付けられる。
【０１０２】
ブロック８１ａは、同時に複数個所に設けてもよく、実施形態２においては、図１１に示す固定側孔６０ａまたは孔６０ｂにブロック８１ｃ、８１ｄを取り付け可能であり、図１３に示すように一致状態ではブロック８１ｃ、ブロック８１ｄが取り付けられ、移動ガード２１の移動が妨げる。
【０１０３】
作業のしやすさを考慮する場合には、作業者の手の届きやすい高さの固定側連結材３０ａ、３０ｂにブロックを取り付けるように構成してもよい。
【０１０４】
また、ブロックは、一致状態と不一致状態において移動ガード２１の移動を妨げればよく、移動側連結材４１ａ〜４１ｄのいずれかに取り付けてもよい。
【０１０５】
例えば、図１６に示すように不一致状態のガード装置３において、ブロック９２は、移動側棒材４０ｂ、４０ｃの間に挟まれるとともに、固定側棒材２５ｂを挟み込む溝部９３を有している。
【０１０６】
ブロック９２は、ネジ９１ａ、９１ｂを移動側孔９０ａ、９０ｂに締め付けられることにより、移動側連結材４１上に固定することができ、固定側棒材２５を挟み込む溝部９３が、移動ガード２１の移動を妨げる。
【０１０７】
ブロック９２は、一致状態でも装着することができ、この場合ブロック９２は、移動側棒材４０ｂ、４０ｃの間に挟まれるとともに、固定側棒材２５ａ、２５ｂの間に持挟まれることにより、移動ガード２１の移動を妨げる。
【０１０８】
以上のように、実施形態２のガード装置３は、一致状態または不一致状態で使用することができる。
【０１０９】
一致状態と不一致状態とを変更するには、すべてのブロックを取り外し、移動ガード２１を一致状態または不一致状態となるまで横桟２３ａ、２３ｂと固定側連結材３０ａ、３０ｂに沿って移動させ、再びブロックを取り付ければよい。
【０１１０】
＜他の実施形態＞
なお、上記の実施形態では、移動側棒材４０の一部が縦桟２２と重なり得るように構成しているが、ガード装置３と比較して前窓２の左右幅が小さい場合には、縦桟２２と重なる移動側棒材４０ａ、４０ｄを省いて構成してもよい。
【０１１１】
また、上記の実施形態では上ガード４のみに視界性を向上しつつ前窓２ａを保護する策を講じたが、下ガード５やキャブ１の上部の図示しない天窓を保護するガードに適用し、前窓２ｂやキャブ１の天窓を保護するように構成してもよい。
【符号の説明】
【０１１２】
１              キャブ
２              前窓
２ａ            上窓
２ｂ            下窓
３              ガード装置
４              上ガード
５              下ガード
１０            取付ブラケット
１１            蝶番
１２            蝶番
１３ａ、１３ｂ  ロック装置
１４ａ、１４ｂ  ロック装置
２０            固定ガード
２１            移動ガード
２２            縦桟
２３            横桟
２４            フレーム
２５ａ〜２５ｃ  固定側棒材
３０ａ、３０ｂ  固定側連結材
３１、３２      レール部
３３ａ、３３ｂ  固定側孔
３４ａ、３４ｂ  固定側孔
４０ａ〜４０ｄ  移動側棒材
４１ａ〜４１ｄ  移動側連結材
４２、４３      突出部
４４、４５      移動側孔
５０ａ、５０ｂ  ねじ
６０ａ、６０ｂ  固定側孔
６１ａ、６１ｂ  固定側孔
７０            係合部
７１            係合孔
８０            ねじ
８１ａ〜８１ｄ  ブロック
９０ａ、９０ｂ  移動側孔
９１ａ、９１ｂ  ねじ
９２            ブロック
９３            溝部
【図１】
2016098533.tif 000003
【図２】
2016098533.tif 000004
【図３】
2016098533.tif 000005
【図４】
2016098533.tif 000006
【図５】
2016098533.tif 000007
【図６】
2016098533.tif 000008
【図７】
2016098533.tif 000009
【図８】
2016098533.tif 000010
【図９】
2016098533.tif 000011
【図１０】
2016098533.tif 000012
【図１１】
2016098533.tif 000013
【図１２】
2016098533.tif 000014
【図１３】
2016098533.tif 000015
【図１４】
2016098533.tif 000016
【図１５】
2016098533.tif 000017
【図１６】
2016098533.tif 000018